(57)【要約】【課題】回路設計の効率化が図られたＣＡＤ端末を提供する。【解決手段】設計後の回路の所望の回路部分を操作に応じて回路部分指定部１１で指定し、その回路部分にキーワード付与部１２でキーワードを対応づけて１つの新たなライブラリとして登録指示部１３でライブラリ管理装置に登録し、新たな回路設計にあたり、登録した回路部品を検索画面１０ａで検索して流用する。【選択図】        図２
2004234232.tif 000002
【特許請求の範囲】
【請求項１】
回路設計に用いられる回路部品データを表わすライブラリを管理するライブラリ管理装置に通信回線を介して接続され、該ライブラリ管理装置からライブラリをダウンロードし操作に応じてデータ上で回路設計を行なうＣＡＤ端末において、
設計後の回路の所望の回路部分を操作に応じて指定する回路部分指定部と、
前記回路部分指定部により指定された回路部分を１つの新たなライブラリとして前記ライブラリ管理装置に登録させる登録指示部とを備えたことを特徴とするＣＡＤ端末。
【請求項２】
前記回路部分指定部により指定された回路部分にキーワードを対応づけるキーワード付与部を備えたことを特徴とする請求項１記載のＣＡＤ端末。
【発明の詳細な説明】
【０００１】
【発明の属する技術分野】
本発明は、回路設計に用いられる回路部品データを表わすライブラリを管理するライブラリ管理装置からライブラリをダウンロードし操作に応じてデータ上で回路設計を行なうＣＡＤ端末に関する。
【０００２】
【従来の技術】
従来より、ＣＡＤ端末を使用してディジタルカメラ等の回路設計が行なわれている。このＣＡＤ端末は、回路設計に用いられる回路部品データを表わすライブラリを管理するライブラリ管理装置に通信回線を介して接続され、そのライブラリ管理装置からライブラリをダウンロードし操作に応じてＣＡＤ端末におけるデータ上で回路設計が行なわれる。ここで、例えばディジタルカメラにおいて新たな回路設計を行なうにあたり、既に回路設計が終了した設計後の回路を構成する、複数の部品データからなる回路部分（例えば、画像処理ブロックやオーディオブロック等の回路部分）を、新たな回路の一部に流用するということが行なわれている。
【０００３】
図７は、従来のＣＡＤ端末において、設計後の回路を構成する回路部分を新たな回路の一部に流用するための手順を示す図である。
【０００４】
先ず、最初の手順であるステップＳ１１において、回路設計者がライブラリ管理装置で管理されているプロジェクトフォルダ（設計後の回路が格納されたフォルダ）から流用できそうな回路部分（所望の回路部分）を有する回路にめぼしを付ける。
【０００５】
次に、ステップＳ１２において、ＣＡＤ端末上で上記回路を表わす回路図データを起動して（開いて）、その回路図データをＣＡＤ端末の画面上に表示する。
【０００６】
さらに、ステップＳ１３において、上記回路図データの中に流用したい回路部分がある場合はステップＳ１４に進み、流用したい回路部分がない場合はステップＳ１１に戻ることにより、流用したい回路部分が見つかるまで検索を行なう。
【０００７】
ステップＳ１４では、ＣＡＤ端末上で、流用したい回路部分を選択してコピー対象としステップＳ１５に進む。
【０００８】
ステップＳ１５では、ＣＡＤ端末上で、現在設計中の回路図データを開き、この回路図データ上の所望の位置に上記コピー対象とした回路部分を複写する。このようにして、ライブラリ管理装置で管理されている設計後の回路を構成する回路部分を、新たな回路の一部に流用することにより、回路設計の効率化が図られる。
【０００９】
また、流用性の高い多数の回路と、それら回路に対応するプリント基板設計用パターンを、各回路およびパターン毎に固有の名称を付して記憶部に登録しておき、流用設計時に必要なものを読み出して複写合成するＣＡＤ端末も提案されている（例えば、特許文献１参照）。
【００１０】
【特許文献１】
特開平５−２１０７０１号公報（段落番号００１７−段落番号００
２８、第１図）
【００１１】
【発明が解決しようとする課題】
しかし、従来の、図７を参照して説明したＣＡＤ端末では、流用したい回路部分が見つかるまで、その都度ＣＡＤ端末を操作してライブラリ管理装置で管理されている回路図データを開く操作を繰り返し行なう必要がある。また、コピー対象とする回路部分を有する回路図データと、ＣＡＤ端末上で現在設計中の回路図データとの双方を立ち上げる（開く）必要がある。さらに、現在設計中の回路図データ上の所望の位置に上記コピー対象とした回路部分を複写する必要がある。このため、多くの操作が必要であり手間がかかるという問題がある。また、特許文献１に提案されたＣＡＤ端末においても、上記ＣＡＤ端末と同様の問題を抱えている。従って、回路設計の効率が低いという問題がある。
【００１２】
本発明は、上記事情に鑑み、回路設計の効率化が図られたＣＡＤ端末を提供することを目的とする。
【００１３】
【課題を解決するための手段】
上記目的を達成する本発明のＣＡＤ端末は、回路設計に用いられる回路部品データを表わすライブラリを管理するライブラリ管理装置に通信回線を介して接続され、そのライブラリ管理装置からライブラリをダウンロードし操作に応じてデータ上で回路設計を行なうＣＡＤ端末において、
設計後の回路の所望の回路部分を操作に応じて指定する回路部分指定部と、
上記回路部分指定部により指定された回路部分を１つの新たなライブラリとして上記ライブラリ管理装置に登録させる登録指示部とを備えたことを特徴とする。
【００１４】
本発明のＣＡＤ端末は、設計後の回路の所望の回路部分を操作に応じて指定し、指定された回路部分を１つの新たなライブラリとしてライブラリ管理装置に登録させるものであるため、ライブラリ管理装置には、設計後の回路の所望の回路部分（例えば、ディジタルカメラにおける画像処理ブロックやオーディオブロック）が回路部品データとして登録される。従って、設計後の回路の所望の回路部分を新たな回路の一部に流用するにあたり、通常の回路部品（例えば論理ゲート）と同様に、ライブラリ管理装置から所望の回路部分を呼び出して回路設計すれば済み、従来の、流用したい回路部分が見つかるまでライブラリ管理装置で管理されている回路図データを開いてその回路部分を選択し、さらに現在設計中の回路図データを開いてその回路部分を複写する技術と比較し、操作の手間が削減されて回路設計の効率化が図られる。
【００１５】
ここで、本発明のＣＡＤ端末において、上記回路部分指定部により指定された回路部分にキーワードを対応づけるキーワード付与部を備えることが好ましい。
【００１６】
このようなキーワード付与部を備えると、所望の回路部分を迅速に呼び出すことができる。
【００１７】
【発明の実施の形態】
以下、本発明の実施形態について説明する。
【００１８】
図１は、本発明のＣＡＤ端末の一実施形態が組み込まれたシステムを示す図である。
【００１９】
図１には、ライブラリ管理装置１００と、本発明の一実施形態のＣＡＤ端末１０（ここでは３つのＣＡＤ端末が示されている）が示されている。
【００２０】
ライブラリ管理装置１００は、回路設計に用いられる回路部品データを表わすライブラリを管理するものであり、このライブラリ管理装置１００には通信回線を介して３つのＣＡＤ端末１０が接続されている。
【００２１】
ＣＡＤ端末１０は、ライブラリ管理装置１００からライブラリをダウンロードし操作に応じてデータ上で設計する端末である。ここで、ＣＡＤ端末１０の構成について図２を参照して説明する。
【００２２】
図２は、図１に示すＣＡＤ端末の構成を示す図である。
【００２３】
図２に示すＣＡＤ端末１０には、回路部分指定部１１と、キーワード付与部１２と、登録指示部１３、検索画面１０ａとが備えられている。
【００２４】
回路部分指定部１１は、設計後の回路の所望の回路部分を操作に応じて指定する。ここで、所望の回路部分とは、例えば、ディジタルカメラにおける、半導体集積回路等を含む画像処理ブロックやオーディオブロック等をいう。
【００２５】
キーワード付与部１２は、回路部分指定部１１により指定された回路部分にキーワードを対応づける。
【００２６】
登録指示部１３は、回路部分指定部１１により指定され、キーワード付与部１２によりキーワードが対応づけられた回路部分を、１つの新たなライブラリとしてライブラリ管理装置１００に登録させる。
【００２７】
検索画面１０ａは、ライブラリ管理装置１００に登録された回路部分を呼び出す（検索する）ためのものであり、この検索画面１０ａの表示内容については後述する。
【００２８】
図３は、本実施形態のＣＡＤ端末において、１つの新たなライブラリとしてライブラリ管理装置に登録させるために転送する、設計後の回路の所望の回路部分の一例を示す図である。
【００２９】
図３に示す回路部分２１は、あるディジタルカメラの、設計後の回路の所望の回路部分を示すものであり、この回路部分２１は、半導体集積回路２１＿１と、その半導体集積回路２１＿１の信号ピンに接続されたコンデンサ２１＿２および抵抗素子２１＿３から構成されている。ライブラリ管理装置１００には、この回路部分２１が、１つの新たなライブラリとして登録される。詳細には、ライブラリ管理装置１００には、この回路部分２１を構成する半導体集積回路２１＿１のフットパターン（基板パターン設計に用いられる半田付け用のパターン）や、半導体集積回路２１＿１の信号ピンがコンデンサ２１＿２に所定の配線長で接続されている等の接続情報や、部品表を示す部品情報等が登録される。登録にあたっては、ＣＡＤ端末１０上でＣＡＤメニューを表示させ、このＣＡＤメニューから設計後のディジタルカメラの回路を表わす回路図データを開いて所望の回路部分２１を回路部分指定部１１で指定する。指定された回路部分２１は１つの回路部品データとして、キーワード付与部１２でキーワードが対応づけられて登録指示部１３に送られ、この登録指示部１３から図１の矢印で示す通信回線を介してライブラリ管理装置１００に転送されて登録される。
【００３０】
図４は、本実施形態のＣＡＤ端末の、ライブラリ管理装置に登録された回路部分を呼び出す（検索する）ための検索画面を示す図である。
【００３１】
ＣＡＤ端末１０に備えられた検索画面１０ａには、検索対象であることを示すチェックマークを付すためのチェックマーク欄１０＿１１，１０＿２１，１０＿３１，１０＿４１，１０＿５１，１０＿６１が示されている。
【００３２】
また、この検索画面１０ａには、「機種名」が表示された表示部１０＿１２と機種名の検索キー（入力キー）として「Ｘ，Ｙ，Ｚ」が入力される表示部１０＿１３とのペアが示されている。また、この検索画面１０ａには、「回路名」が表示された表示部１０＿２２と検索キー「ＣＡＭ」が入力される表示部１０＿２３とのペア、「使用されているフットパターン名」が表示された表示部１０＿３２と検索キー「２Ａ３３６」が入力される表示部１０＿３３とのペア、「ネット名」が表示された表示部１０＿１２と検索キー「＋５Ｖ」が入力される表示部１０＿４３とが示されている。ここで、ネット名について、図５を参照して説明する。
【００３３】
図５は、図３に示す半導体集積回路を構成する２つの階層を示す図である。
【００３４】
この半導体集積回路２１＿１は多数の階層から構成されており、電源ライン（＋５Ｖ）や基準クロックライン（ＣＬＫ）等は、多数の階層（ここでは、２つの階層３１，３２を例示的に示す）にわたってＣＡＤ端末１０上で配線される。このため、電源ラインや基準クロックライン等は、各階層３１，３２にわたって配線するために、便宜的に「＋５Ｖ」，「ＣＬＫ」等のネット名が付される。
【００３５】
再び、図４に戻って説明を続ける。検索画面１０ａには、「コメント」が表示された表示部１０＿５２と検索キーとして「…」のコメント文が入力される表示部１０＿５３とのペア、「問題点」が表示された表示部１０＿６２と検索キーとして「…」の文章が入力される表示部１０＿６３とのペアが示されている。
【００３６】
回路設計者は、ディジタルカメラの回路設計にあたり、ライブラリ管理装置１００に登録された所望の回路部分を検索するために、この検索画面１０ａに示すような情報を入力する。ここで、チェックマーク欄１０＿１１，１０＿２１，１０＿３１，１０＿４１，１０＿５１，１０＿６１の全てにチェックマークを付して実行キー１０＿７１をクリックすると、全ての項目が一致した条件を有する回路部分を検索するアンド検索が行われ、所望の項目に対応するチェックマーク欄にのみチェックマークを付した場合は、それら項目のみが一致した条件を有する回路部分を検索するアンド検索が行なわれる。本実施形態では、この検索画面１０ａに示すように、検索したい項目（検索キー）を多く設定することができるため、所望の回路部分の検索を迅速に行なうことができ、回路設計の効率が高まる。
【００３７】
図６は、本実施形態のＣＡＤ端末において、設計後の回路の回路部分を１つの新たなライブラリとしてライブラリ管理装置に登録させるための手順、およびライブラリ管理装置に登録された回路部分を呼び出すための手順を示す図である。
【００３８】
回路設計者は、ある回路設計が終了した時点で、次回に開発される回路設計の効率化のために、以下の手順（ステップＳ１〜ステップＳ５）で設計後の回路の回路部分を１つの新たなライブラリとしてライブラリ管理装置１００に登録する。また、ライブラリ管理装置１００に登録された回路部分を呼び出す場合は以下の手順（ステップＳ１，Ｓ２，Ｓ６）を行なう。
【００３９】
先ず、ステップＳ１において、ＣＡＤ端末１０を起動する。次に、ステップＳ２において、部品登録するか否かを決定する。即ち、設計後の回路の回路部分を１つの新たなライブラリとしてライブラリ管理装置１００に登録するか、もしくは部品登録することなくライブラリ管理装置１００に登録された回路部分を呼び出すかを決定する。部品登録すると決定した場合はステップＳ３に進む。
【００４０】
ステップＳ３では、ＣＡＤ端末１０より部品化したい回路ブロックを選択する。次に、ステップＳ４において、ＣＡＤ端末１０より部品登録を実行する（ライブラリ管理装置１００と通信して、そのライブラリ管理装置１００に回路部分を部品として登録する）。さらに、ステップＳ５において、ライブラリ管理装置１００がその回路部分を１つの部品として番号管理する（具体的には、ＣＡＤデータが持っている属性項目（図４に示す機種名等の項目）を検索キーとして番号管理する）。その後、この手順を終了する。
【００４１】
一方、ステップＳ２において、ライブラリ管理装置１００に登録された回路部分を呼び出す場合はステップＳ６に進む。ステップＳ６では、ＣＡＤ端末１０より部品呼び出しを行なう。即ち、所望の回路部分（回路ブロック）を呼び出してこの手順を終了する。
【００４２】
このように、本実施形態のＣＡＤ端末１０は、設計後の回路の所望の回路部分を１つの新たなライブラリとしてライブラリ管理装置１００に登録させるものであるため、ライブラリ管理装置１００には、ディジタルカメラの、設計後の回路の所望の回路部分である画像処理ブロックやオーディオブロック等の回路ブロックが回路部品データとして登録される。従って、新たな回路設計にあたり、上記回路ブロックを、通常の回路部品（例えば論理ゲート）と同様にライブラリ管理装置１００から呼び出すだけで済み、回路設計における検索や操作の手間が削減されて回路設計の効率化が図られる。
【００４３】
尚、本実施形態では、ディジタルカメラの回路設計を行なうＣＡＤ端末の例で説明したが、これに限られるものではなく、電子機器の回路設計を行なうＣＡＤ端末であればよい。
【００４４】
また、本実施形態では、キーワード付与部を備えた例で説明したが、本発明は、キーワード付与部を備える必要もなく、設計後の回路の所望の回路部分を操作に応じて指定する回路部分指定部と、その回路部分指定部により指定された回路部分を１つの新たなライブラリとしてライブラリ管理装置に登録させる登録指示部とを備えたものであればよい。
【００４５】
【発明の効果】
以上説明したように、本発明のＣＡＤ端末によれば、回路設計における検索や操作の手間が削減されて回路設計の効率化が図られる。
【図面の簡単な説明】
【図１】本発明のＣＡＤ端末の一実施形態が組み込まれたシステムを示す図である。
【図２】図１に示すＣＡＤ端末の構成を示す図である。
【図３】本実施形態のＣＡＤ端末において、１つの新たなライブラリとしてライブラリ管理装置に登録させるために転送する、設計後の回路の所望の回路部分の一例を示す図である。
【図４】本実施形態のＣＡＤ端末の、ライブラリ管理装置に登録された回路部分を呼び出す（検索する）ための検索画面を示す図である。
【図５】図３に示す半導体集積回路を構成する２つの階層を示す図である。
【図６】本実施形態のＣＡＤ端末において、設計後の回路の回路部分を１つの新たなライブラリとしてライブラリ管理装置に登録させるための手順、およびライブラリ管理装置に登録された回路部分を呼び出すための手順を示す図である。
【図７】従来のＣＡＤ端末において、設計後の回路を構成する回路部分を新たな回路の一部に流用するための手順を示す図である。
【符号の説明】
１０  ＣＡＤ端末
１０ａ  検索画面
１０＿１１，１０＿２１，１０＿３１，１０＿４１，１０＿５１，１０＿６１チェックマーク欄
１０＿１２，１０＿１３，１０＿２２，１０＿２３，１０＿３２，１０＿３３，１０＿４２，１０＿４３，１０＿５２，１０＿５３，１０＿６２，１０＿６３表示部
１０＿７１  実行キー
１１  回路部分指定部
１２  キーワード付与部
１３  登録指示部
２１  回路部分
２１＿１  半導体集積回路
２１＿２  コンデンサ
２１＿３  抵抗素子
３１，３２  階層
１００  ライブラリ管理装置
【図１】
2004234232.tif 000003
【図２】
2004234232.tif 000004
【図３】
2004234232.tif 000005
【図４】
2004234232.tif 000006
【図５】
2004234232.tif 000007
【図６】
2004234232.tif 000008
【図７】
2004234232.tif 000009